(57)【特許請求の範囲】
【請求項１】
上衣部と下衣部とが一体となった乳幼児用肌着において、
前記乳幼児用肌着の背面の腰部に、体幅方向に延びるおむつ確認用スリットが形成されており、
前記おむつ確認用スリットは、前記上衣部および前記下衣部に取り付けられた、前記上衣部および前記下衣部と異なる透光性生地で覆われていることを特徴とする乳幼児用肌着。
【請求項２】
前記透光性生地はメッシュ生地である請求項１に記載の乳幼児用肌着。
【請求項３】
前記透光性生地は、前記上衣部の下端および前記下衣部の上端に弛みを持たせて接合されている請求項１に記載の乳幼児用肌着。
【請求項４】
前記上衣部は前記下衣部と重なるように下側に延びている請求項１から３のいずれか一項に記載の乳幼児用肌着。
【発明の詳細な説明】
【技術分野】
【０００１】
本発明は、おむつを着用する乳幼児のための、上衣と下衣とが一体となった乳幼児用肌着に関する。
【背景技術】
【０００２】
従来、おむつをしている乳幼児用の肌着としては、上衣と下衣とが一体となったものが一般的である。この種の肌着においては、例えば特許文献１に記載されるように、下衣部の股部分にスナップボタンなどの留め具が設けられ、この留め具を外すことによって、股部分が前後に開くように構成されている。乳幼児を仰向けに寝かせるか立たせた状態で留め具を外し、股部分を開くことによって、肌着を着せたままおむつ交換を行なうことができる。
【先行技術文献】
【特許文献】
【０００３】
【特許文献１】特開平１１−４３８０８号公報
【発明の概要】
【発明が解決しようとする課題】
【０００４】
おむつをしている乳幼児においては、おしっこやうんちをした状態で長時間放っておくと、おむつかぶれの原因となる。おしっこやうんちをした後のおむつの中は湿度が高く、蒸れやすくなる。蒸れによって、乳幼児の肌は、おしっこやうんちの成分による刺激を受けやすくなる。そこで、おしっこやうんちをしているかどうか、おむつの中を小まめに確認する必要があった。
【０００５】
しかし、従来の上衣と下衣が一体となった肌着においては、おむつの中を確認するためには、おむつ交換の手順と同様、乳幼児を仰向けに寝かせるか立たせ、股部分の留め具を外して股部分を開いたうえで、さらにおむつを開かなければならなかった。乳幼児がおとなしくしている場合は特に問題ないが、元気に動き回っているときに動きを制止してこういったことをするのはとても大変である。しかも、そうやっておむつの中を確認した結果、おむつ交換が不要であることが確認できた場合は、上述したのと逆の手順で元に戻さなければならない。
【０００６】
本発明の目的の一つは、おむつ交換が必要かどうか、おむつの状態をより簡単に確認することができる乳幼児用肌着を提供することである。
【課題を解決するための手段】
【０００７】
本発明の乳幼児用肌着は、上衣部と下衣部とが一体となった乳幼児用肌着において、
前記乳幼児用肌着の背面の腰部に、体幅方向に延びるおむつ確認用スリットが形成されていることを特徴とする。
【発明の効果】
【０００８】
本発明の乳幼児用肌着によれば、背面の腰部にスリットが形成されていることにより、スリットを開くだけで簡単におむつの状態を確認することができる。
【図面の簡単な説明】
【０００９】
【図１】本発明の一実施形態による乳幼児用肌着の正面図である。
【図２】図１に示す乳幼児用肌着の、スリットを閉じた状態の背面図である。
【図３】図１に示す乳幼児用肌着の、スリットを開いた状態の背面図である。
【図４】スリットへの透光性生地の接合構造の一例を説明する、乳幼児用肌着の側方から見たスリット付近の断面図である。
【図５】スリットへの透光性生地の接合構造の他の例を説明する、乳幼児用肌着の側方から見たスリット付近の断面図である。
【図６】下衣部の弛みを防止する構造を説明する図である。
【発明を実施するための形態】
【００１０】
図１〜図３に示すように、本発明の一実施形態による乳幼児用肌着１は、一体となった上衣部１０と下衣部２０とを有する。下衣部２０には、股部で前後に開くことができるようにスナップボタンなどの留め具２１、２２が設けられている。おむつ交換をするときは、この留め具２１、２２を外して下衣部２０を前後に開く。図１には２組の留め具２１、２２が示されているが、その数は下衣部２０の形態等に応じて任意であってよい。
【００１１】
乳幼児用肌着１の背面にはスリット３０が形成されている。スリット３０は、腰部の位置に、乳幼児用肌着１の体幅方向に延びて形成され、透光性生地３１によって覆われている。ここで、スリット３０が形成される「腰部」というのは、上衣部１０と下衣部２０の境界の部分を意味し、したがって、スリット３０は、上衣部１０の下端と下衣部２０の上端との間に存在する。スリット３０が形成される「腰部」の具体的な位置は、乳幼児用肌着１のサイズによって多少の幅があるが、おおよその後ろ股上寸法が１５ｃｍ〜２１ｃｍの範囲の部分である。
【００１２】
また、乳幼児の動きに伴ってスリット３０が自然に上下に開かないように、上衣部１０は下衣部２０の表側で下衣部２０と重なるように下側に延びていることが好ましい。こうすることによって、図２に示すように、下衣部２０の上端２０ａは上衣部１０の下端１０ａより上方に位置し、下衣部２０の上部は上衣部１０の裏側に隠れるので、乳幼児の動きによるスリット３０の上下への開きを防ぐことができる。これにより、乳幼児の背中が見えてしまうことや乳幼児の身体が冷えてしまうことを防ぐことができ、さらに、スリット３０を形成しつつも上衣部１０と下衣部２０との視覚的な連続性を持たせることができる。ここで、スリット３０が上下に開くとは、上衣部１０の下端が下衣部２０の上端より上方に位置する状態をいう。
【００１３】
上衣部１０と下衣部２０との重なり幅は、２ｃｍ以上であることが好ましく、より好ましくは３ｃｍ以上である。また、この重なり幅は、６ｃｍ以下であることが好ましく、より好ましくは５ｃｍ以下である。上衣部１０と下衣部２０との重なり幅がこの範囲内にあれば、重なり幅が小さすぎて乳幼児の激しい動きによってスリット３０が露出したり、逆に重なり幅が大きすぎて重なり部が邪魔になったりすることはない。
【００１４】
スリット３０が透光性生地３１で覆われていることによって、図３に示すようにスリット３０を開いた状態で透光性生地３１を通して乳幼児用肌着１の中を視認することができる。透光性生地３１は、乳幼児用肌着１の中を視認することができるような生地であれば特に限定されず、例えば、メッシュ、シフォン、チュール、オーガンジーといった生地を用いることができる。それらの中でも特に、幼児用肌着１の中の視認性の点で、メッシュ生地を透光性生地３１として好ましく用いることができる。
【００１５】
図４に示すように、透光性生地３１は、上衣部１０の下端１０ａと下衣部２０の上端２０ａに、弛みを持たせて接合されていることが好ましい。透光性生地３１の接合は、縫合や接着など任意の手段で行なうことができる。透光性生地３１に弛みを持たせることで、スリット３０をより大きく開くことができる。あるいは、透光性生地３１として伸縮性を有する生地を用いることによっても、スリット３０をより大きく開くことができる。
【００１６】
また、スリット３０が形成される部分において、上衣部１０の下端１０ａおよび下衣部２０の上端２０ａにそれぞれバイアステープ３２で端部処理を施してもよい。この場合、透光性生地３１は、バイアステープ３２の中に縫い込んでもよいし、バイアステープ３２の外側に縫い付けてもよい。図４に示した例では、透光性生地３１は、上衣部１０の下端１０ａではバイアステープ３２の中に縫い込まれ、下衣部２０の上端ではバイアステープ３２の外に縫い付けられている。これにより、乳幼児用肌着１の外観を損なわずに、光透過性生地３１が弛みを持った状態で透光性生地３１を取り付けることができる。また、図５に示すように、透光性生地３１を上衣部１０の下端１０ａおよび下衣部２０の上端１０ｂの両方でバイアステープ３２の中に縫い込んでもよい。この場合、光透過性生地３１に大きな弛みを持たせることは難しくなるが、透光性生地３１として伸縮性を有する生地を用いれば、スリット３０を大きく開くことができる。
【００１７】
上述のとおり構成された乳幼児用肌着１によれば、乳幼児を立たせたまま、例えば下衣部２０の背面を乳幼児の身体から離れる方向に引っ張ることによってスリット３０を開くだけ、または下衣部２０とおむつを一緒に引っ張るだけで、透光性生地３１を通して簡単におむつの状態を確認することができる。確認の結果、おむつ交換が必要なければそのまま手を放してスリット３０を閉じればよいし、おむつ交換が必要であれば、乳幼児を仰向けに寝かせるか立たせて従来と同様におむつ交換を行なう。
【００１８】
本形態では、乳幼児用肌着１の背面にスリット３０が形成されているので、例えば乳幼児が前かがみになったりすると、スリット３０が開いて背中が露出することがある。しかし、スリット３０は透光性生地３１で覆われているので、スリット３０が開いたとしても背中は露出せず、また、おむつの状態は背中を露出させることなく透光性生地３１を通して確認することができる。ただし、おむつの状態を確認するときに背中が露出しても気にならないというのであれば、透光性生地３１を面ファスナーやファスナーなどで上衣部１０および下衣部２０に着脱自在としてもよいし、透光性生地３１そのものを有していない構成としてもよい。また、透過性生地３１を有する場合および有しない場合のいずれにおいても、不用意にスリット３０が開かないように、面ファスナー、ファスナー、またはスナップボタンなどの適宜の固定具で上衣部１０と下衣部２０とを固定してもよい。したがって、通常は閉じていても必要に応じて開くことができ、おむつの状態を確認できる構造はすべて、本発明における「おむつ確認用スリット」に含まれる。
【００１９】
なお、おむつの状態を確認した際、乳幼児用肌着１の素材によっては、スリット３０を開いたことによって下衣部２０に弛みが生じたままになることがある。そこで、図６に示すように、下衣部２０の背面において体幅方向にゴム紐３３を通すことで、下衣部２０の弛みを抑制することができる。ゴム紐３３は、より好ましくは、下衣部２０の上縁部に沿って通される。これによって、下衣部２０の弛みをより効果的に抑制できる。
【符号の説明】
【００２０】
１    乳幼児用肌着
１０    上衣部
２０    下衣部
２１    留め具
３０    スリット
３１    透光性生地
【要約】      （修正有）【課題】おむつをしている乳幼児においては、おしっこやうんちをした状態で長時間放っておくと、おむつかぶれの原因となる。おしっこやうんちをした後のおむつの中は湿度が高く、蒸れやすくなる。蒸れによって、乳幼児の肌は、おしっこやうんちの成分による刺激を受けやすくなる。そこで、おしっこやうんちをしているかどうか、おむつの状態を簡単に確認できるようにする。【解決手段】本発明の乳幼児用肌着１は、上衣部１０と下衣部２０とが一体となった乳幼児用肌着において、前記乳幼児用肌着の背面の腰部に、体幅方向に延びるおむつ確認用スリット３０が形成されていることを特徴とする。【選択図】図３【図１】
0006800452.tif 000002
【図２】
0006800452.tif 000003
【図３】
0006800452.tif 000004
【図４】
0006800452.tif 000005
【図５】
0006800452.tif 000006
【図６】
0006800452.tif 000007